(57)【要約】【課題】加湿器等の機器に取り付けるノズルチップと機器側に介設して、噴射方向の任意に変えられるようにする。【解決手段】軸受部材、ボール部材、押さえ部材およびノズル連結部材からなるボールジョイント構造とし、ノズル連結部材にノズルチップを連結し、これら軸受部材、ボール部材、ノズル連結部材にそれぞれ気体流路と液体流路とを設け、ボール部材が許容回転角度範囲内で回転される限り、ボール部材に設けた気体流路と液体流路とは軸受部材の気体流路、液体流路に連通すると共に、該ボール部材に固定するノズル連結部材の気体流路、液体流路とも連通されるようにしている。また、軸受部材はボール受部を屈曲させて、軸受部材の加湿器に対する取り付け角度を変えることにより、ノズルチップを上向き、下向き、横向き等に変えることができる。【選択図】  図２
2004237206.tif 000002
【特許請求の範囲】
【請求項１】
第１気体流路と第１液体流路とを有すると共にボール受部を有し、該ボール受部の内面に上記第１気体流路と第１液体流路の流出口をそれぞれ開口させた軸受部材と、
上記軸受部材のボール受部に回転自在に支承される共に、上記第１気体流路および第１液体流路とそれぞれ連通する第２気体流路および第２液体流路の流出口を、上記ボール受部による支承側と反対側に設けた凹部内面に開口させたボール部材と、
上記ボール部材の上記凹部を露出させた状態で外嵌されると共に上記軸受部材との固定部を有する押さえ部材と、
上記ボール部材の上記凹部に内嵌固定され、上記ボール部材の第２気体流路および第２液体流路とそれぞれ連通する第３気体流路と第３液体流路を有し、かつ、先端側にノズルチップと着脱自在に連結される連結部を有し、該ノズルチップ部材が連結された状態でノズルチップの流路に上記第３気体流路と第３液体流路とが連通されるノズル連結部材とを備え、
上記ボール部材を回転させて上記ノズル連結部材およびノズルチップの首振りを可能とし、かつ、上記ボール部材が許容回転角度範囲内で回転される限り、上記第１、第２気体流路は連通されていると共に第１、第２液体流路が連通されている構成としていることを特徴とするノズル用首振りアダプタ。
【請求項２】
上記軸受部材は、第１気体流路と第１液体流路との流入側の軸線方向と、上記ボール受部の軸線方向とを屈曲させている請求項１に記載のノズル用首振りアダプタ。
【請求項３】
上記軸受部材のボール受部の中央内面に窪みを設けていると共に該窪みの周縁に上記ボール部材が慴接する円弧面を設け、該軸受部材のボール受部の先端周縁あるいは／および上記押さえ部材の周縁より上記ボール部材の外周面に慴接させる支持枠を設け、
上記第１液体流路あるいは第１気体流路のいずれか一方は軸芯に沿って設け、その流出口を上記窪みに開口させる一方、
上記第１気体流路あるいは第１液体流路のいずれか他方は軸芯を囲む位置に設け、上記ボール受部の円弧面と上記支持枠の間の内面に流出口を開口させ、
上記ボール受部に内嵌するボール部材は、上記円弧面と上記支持枠先端面に摺接して回転し、該ボール部材の回転角度範囲内で、該ボール部材に設ける上記第２液体流路あるいは第２気体流路のいずれか一方は上記窪み内に開口させていると共に第２気体流路あるいは第２液体流路のいずれか他方は上記円弧面と支持枠の間に開口させている請求項１または請求項２に記載のノズル用首振りアダプタ。
【請求項４】
上記押さえ部材の先端面と、上記ノズル連結部材の外周面とにそれぞれ当接係止可能な回転止め突起を設け、これら回転止め突起が当接した状態で、上記ボール部材の左右いずれかの周方向への回転が阻止される構成としている請求項１乃至請求項３のいずれか１項に記載のノズル用首振りアダプタ。
【請求項５】
上記軸受部材のボール受部と反対側に、気体と液体との二流体が供給されている機器の被連結部に着脱自在に外嵌固定される連結部を備え、上記連結部は環状周壁に間隔をあけたロック穴を設けた形状とし、上記被連結部の外周に突設したロック爪とロック結合させ、かつ、該ロック結合時に上記第１気体流路と第１液体流路とは上記機器の気体流路および液体流路と連通する構成としている請求項１乃至請求項５のいずれか１項に記載のノズル用首振りアダプタ。
【請求項６】
上記ノズル連結部材の外周面にノズルチップ固定用のロック爪を設け、該ロック爪は上記機器の被連結部外周に突設するロック爪と同一形状とし、かつ、上記ノズルチップの外周面にロック穴を設け、該ロック穴は上記軸受部材のロック穴と同一形状としている請求項５に記載のノズル用首振りアダプタ。
【請求項７】
請求項１乃至請求項５のいずれか１項に記載の首振りアダプタを備えた加湿器であって、
外壁を構成するケースに開口を設け、該開口内部に気体流路と液体流路とが開口した被連結部を備え、該被連結部に上記ノズル用首振りアダプタを着脱自在に連結し、第１気体流路と第１液体流路を上記被連結部に開口する上記気体流路と液体流路にそれぞれ連通させ、上記ノズル用首振りアダプタを介在させてノズルチップを連結していることを特徴とする首振りアダプタを備えた加湿器。
【請求項８】
請求項６に記載のノズル用首振りアダプタを備えた加湿器であって、
外壁を構成するケースに開口を設け、該開口内部に気体流路と液体流路とが開口した被連結部を備え、該被連結部に上記ノズル用首振りアダプタを連結し、あるいは該ノズル用首振りアダプタを介設せずにノズルチップを直接に上記被連結部と連結させ、上記首振りアダプタの介設を選択自在としている加湿器。
【発明の詳細な説明】
【０００１】
【発明の属する技術分野】
本発明はノズル用首振りアダプタおよび該アダプタを備えた加湿器に関し、特に、加湿器あるいは配管に直結されるアダプタに対してノズルチップを回転させて、噴霧方向の向きを上下、左右などのいずれの方向にも簡単に変えられるものである。
【０００２】
【従来の技術】
従来、室内の湿度を一定に保持するためや、農業用、工業用等のあらゆる分野において所要の湿度が必要な場合には、図８に示すように、配管１に間隔をあけて加湿器２を吊り下げて用いられている。この加湿器２には配管１ａより水を供給すると共に配管１ｂより圧力エアを供給し、加湿器２のケース周壁に間隔をあけて配置したノズル２ａより気液混合の二流体を噴射している。
【０００３】
配管１が高い位置に設置される場合、ノズル２ａより下向きに噴射することが好ましいく、また、逆に配管が低い位置に設置させる場合には、ノズル２ａより上向きに噴射することが好ましい場合もあり、かつ、、ノズル２ａより横向きに噴射を発生させる方が好ましい場合もある。さらに、上下左右の９０度向きを変えず、９０度以下の所要角度噴射方向を変えることが好ましい場合もある。
また、加湿器にかかわらず、ノズルの噴射方向を自在に変えることができれば、ノズルの機能向上につながる。
【０００４】
従来、加湿器あるいは配管に直結されているノズルチップの噴射方向を任意に変え、気液混合の二流体を噴射するものは市販されていない。
また、当該技術分野において、回転体を配置したものとして、特開平７−１５５６４９号（特許文献１）が提案されていが、ノズルの噴射方向を変えるものではない。即ち、図９に示すように、複数のシャワーノズル４が間隔をあけて装着された給送パイプ５の一端にアダプタ６を連結し、該アダプタ６の内部に回転体７を進退可能且つ回転可能に収容している。該アダプタ６の一端に外部操作ハンドル８を連結すると共に他端には給送パイプ５内に挿通されると複数のブラシ体９を取り付け、ハンドル操作で回転体７と共にブラシ体９を回転し、給送パイプ５の内周面に堆積した不純物を除去するようにしている。
【０００５】
【特許文献１】
特開平７−１５５６４９号
【０００６】
【本発明が解決しようとする課題】
上記の従来技術はノズルの噴射方向を変えるために回転体を配置しているのではなく、給送パイプ内の清掃用に設けられているだけである。また、１本の給送パイプから水のみを供給して、一流体をノズルから噴射しているだけである。
二流体ノズルでは、できるだけ噴射口の近傍で気液を混合することが好ましいため、気体と液体の両方を供給する流路を回転体に通す必要があり、構造が非常に複雑となる。
また、中心軸線を通す流体のみを回転体に通し、他方の流体は回転体の内部を通さずに、回転体の外壁に供給管を接続して供給する構成とすることも可能であるが、この場合、図１０に示すように、外部供給の流体はフレキシブル供給管Ｆを用いて回転体７’の外壁に接続する必要があり、この場合も構造が大型化すると共に複雑化する問題がある。
【０００７】
本発明は上記した問題を解消せんとするもので、気液混合の流体を噴射するノズルにおいて、ノズルチップを連結するアダプタに対して回転自在として噴射方向を任意方向に変えられるようにし、特に、加湿器に取り付けるノズルに適用して、加湿器からの噴霧の向き、角度を自在に調節できるようにするものである。
【０００８】
【課題を解決するための手段】
上記課題を解決するため、第１に本発明は、第１気体流路と第１液体流路とを有すると共にボール受部を有し、該ボール受部の内面に上記第１気体流路と第１液体流路の流出口をそれぞれ開口させた軸受部材と、
上記軸受部材のボール受部に回転自在に支承される共に、上記第１気体流路および第１液体流路とそれぞれ連通する第２気体流路および第２液体流路の流出口を、上記ボール受部による支承側と反対側に設けた凹部内面に開口させたボール部材と、
上記ボール部材の上記凹部を露出させた状態で外嵌されると共に上記軸受部材との固定部を有する押さえ部材と、
上記ボール部材の上記凹部に内嵌固定され、上記ボール部材の第２気体流路および第２液体流路とそれぞれ連通する第３気体流路と第３液体流路を有し、かつ、先端側にノズルチップと着脱自在に連結される連結部を有し、該ノズルチップ部材が連結された状態でノズルチップの流路に上記第３気体流路と第３液体流路とが連通されるノズル連結部材とを備え、
上記ボール部材を回転させて上記ノズル連結部材およびノズルチップの首振りを可能とし、かつ、上記ボール部材が許容回転角度範囲内で回転される限り、上記第１、第２気体流路は連通されていると共に第１、第２液体流路が連通されている構成としていることを特徴とするノズル用首振りアダプタを提供している。
【０００９】
上記首振りアダプタは、軸受部材、ボール部材、押さえ部材、ノズル連結部材とを備えたボールジョイント構造であって、ノズルチップと連結する上記ノズル連結部材がボール部材を回転させることより、ノズルチップの方向、角度を自在に変えることができ、その結果、ノズルチップ先端の噴射口より噴射する二流体の噴霧の方向を所要方向に簡単に変えることができる。
かつ、ボール部材を回転させても、軸受部材の第１気体流路、第１液体流路とも、ボール部材に貫通した第２気体流路、第２気体流路と常に連通させる構成としているため、液体あるいは気体のいずれか一方をフレキシブル配管を介してノズル連結部材の流路に供給する必要がなく、ノズルチップを回転自在としていながら、装置の大型化を抑制することができる。
【００１０】
上記軸受部材は、第１気体流路と第１液体流路との流入側の軸線方向と、上記ボール受部の軸線方向とを屈曲させていることが好ましい。
このように、ボール受部を屈曲させておき、言わば、首を曲げておくと、該軸受部材自体を機器あるいは配管に取付角度を変えて取り付けると、首を下向き、上向き、左右いずれか一方の横向き等に変えることができる。さらには、取付角度間隔を小さい角度間隔をあけて設定しておくと、液体、気体供給部を中心とする垂直面で３６０度のいずれの方向にもノズルチップの噴射口を向けることができる。
【００１１】
具体的には、上記軸受部材のボール受部の中央内面に窪みを設けていると共に該窪みの周縁に上記ボール部材が慴接する円弧面を設け、該軸受部材のボール受部の先端周縁あるいは／および上記押さえ部材の周縁より上記ボール部材の外周面に慴接させる支持枠を設け、
上記第１液体流路あるいは第１気体流路のいずれか一方は軸芯に沿って設け、その流出口を上記窪みに開口させる一方、
上記第１気体流路あるいは第１液体流路のいずれか他方は軸芯を囲む位置に設け、上記ボール受部の円弧面と上記支持枠の間の内面に流出口を開口させ、
上記ボール受部に内嵌するボール部材は、上記円弧面と上記支持枠先端面に摺接して回転し、該ボール部材の回転角度範囲内で、該ボール部材に設ける上記第２液体流路あるいは第２気体流路のいずれか一方は上記窪み内に開口させていると共に第２気体流路あるいは第２液体流路のいずれか他方は上記円弧面と支持枠の間に開口させている。
【００１２】
上記のように、軸受部材にボール受部とボール部材との間に、ボール摺接面となる円弧面を挟んで、気液が分離される空間（ボール受部内面とボール部材外面に挟まれた空間と、窪み）とを設けていることにより、ボール部材が押さえ部材により規制される許容回転角度範囲で回転しても、軸受部材の第１気体流路、第１液体流路をボール部材の第２気体流路、第２液体流路とのそれぞれ連通させることができる。
【００１３】
また、上記押さえ部材の先端面と、上記ノズル連結部材の外周面とにそれぞれ当接係止可能な回転止め突起を設け、これら回転止め突起が当接した状態で、上記ボール部材の左右いずれかの周方向への回転が阻止される構成としている。
即ち、ノズル連結部にノズルチップをネジ締めで連結あるいはネジを戻して離脱する際に、ボール部材が回転すると、上記ネジ締めやネジ戻しが困難となるため、ノズル連結部材と押さえ部材との回転止め突起を当接係止させて、ノズル連結部材がネジ回転方向には動かないようにして、ノズルチップのネジ締め結合、あるいはネジ戻して離脱させることが、操作性良くできるようにしている。
【００１４】
上記軸受部材のボール受部と反対側に、気体と液体との二流体が供給されている機器の被連結部に着脱自在に外嵌固定される連結部を備え、
上記連結部は環状周壁に間隔をあけたロック穴を設けた形状とし、上記被連結部の外周に突設したロック爪とロック結合させ、かつ、該ロック結合時に上記第１気体流路と第１液体流路とは上記機器の気体流路および液体流路と連通する構成としている。
【００１５】
首振りアダプタを加湿器等の機器に連結する場合に、首振りアダプタの軸受部材の基部を機器の被連結部に略ワンタッチで取り付け、取り外しできるようにしている。
かつ、上記ロック穴とロック爪とを９０度等の所要角度間隔をあけて設けておくと共に、首振りアダプタの首を曲げておくと、首振りアダプタの被連結部に対する取付位置を変えることにより、ノズルチップの向きを任意の下向き、上向き、右向き、左向き等の任意の向きとすることができる。
【００１６】
上記ノズル連結部材の外周面にノズルチップ固定用のロック爪を設け、該ロック爪は上記機器の被連結部外周に突設するロック爪と同一形状とし、かつ、上記ノズルチップの外周面にロック穴を設け、該ロック穴は上記軸受部材のロック穴と同一形状としている。
【００１７】
上記のように機器に被連結部に着脱自在に連結する軸受部材の連結部と、ノズル連結部材とノズルチップの連結部とを同一形状としておくと、首振りアダプタを介して機器にノズルチップを連結することができると共に、首振りアダプタなしでノズルチップを直接機器に連結することができる。このように、首振りアダプタの介在を選択できることにより、機器の設置箇所に応じた使い方ができ、使い勝手が良くなる。
【００１８】
本発明は、第２に、上記首振りアダプタを備えた加湿器を提供している。
該加湿器本体の外壁を構成するケース（あるいはケースカバー）に開口を設け、該開口内部に気体流路と液体流路とが開口した被連結部を備え、該被連結部に上記ノズル用首振りアダプタを着脱自在に連結し、第１気体流路と第１液体流路を上記被連結部に開口する上記気体流路と液体流路にそれぞれ連通させ、上記ノズル用首振りアダプタを介在させてノズルチップを連結している。
このように、加湿器に首振りアダプタを取り付けると、加湿器から噴霧する二流体噴霧を所要の任意の方向に向けることができる。
【００１９】
また、加湿器本体の被連結部に上記ノズル用首振りアダプタを連結し、あるいは該ノズル用首振りアダプタを介設せずにノズルチップを直接に上記被連結部と連結させ、上記首振りアダプタの介設を選択自在としている加湿器としてもよい。
【００２０】
【発明の実施の形態】
以下、本発明の実施形態を図面を参照して説明する。
図１乃至図６に示す第１実施形態は、加湿器本体１０に首振りアダプタ１１を介してノズルチップ１２を取り付け、加湿器からの気液混合液の噴射方向を任意方向に変更できるようにしている。
【００２１】
加湿器本体１０のケースカバー１７には９０度間隔をあけて開口１７ａを設け、該開口１７ａの内部に液体流路と気体流路の流出口を設けた被連結部３０を配置している。上記カバー開口１７ａに首振りアダプタ１１の基端側を挿入し、上記被連結部３０に外嵌固定して、加湿器本体１０より首振りアダプタ１１を突出させている。上記のように、被連結部３０を９０度間隔で設けていることより、４個の首振りアダプタ１１を加湿器本体１０に９０度間隔で取り付け、これら各首振りアダプタ１１の先端にそれぞれ２頭型のノズルチップ１２を連結している。
【００２２】
首振りアダプタ１１は、所謂ボールジョイントタイプであって、軸受部材３１、ボール部材３２、押さえ部材３３、ノズル連結部材３４および環状シールゴム３５Ａ、３５Ｂとからなる。
【００２３】
軸受部材３１は、その本体部３１ａの基端側に円環状の連結部３９、他端の先端側にボール受部３８を備えている。本体部３１ａは基端側より先端側に向けた軸線を下向きに屈曲し、言わば、首が垂れた状態とし、ボール受部３８は下向き傾斜させている。
【００２４】
首振りアダプタ１１は図３に拡大して示すように、軸受部材３１の本体部３１ａには軸芯Ｌに沿って第１気体流路３６を貫通させていると共に、軸芯より離れた対向位置に第１液体流路３７を貫通させている。
【００２５】
先端側のボール受部３８の内面には中央底面に窪み３８ａを設けていると共に窪み３８ａの周縁にボール部材３２が慴接する円弧面３８ｂを設けている。上記第１気体流路３６の流出口３６ａは窪み３８ａに開口する一方、第１液体流路３７の流出口３７ａは円弧面３８ｂの外周側の位置に開口させている。
円弧面３８ｂにはシール溝３８ｃを設けて環状シールゴム３５Ａを密嵌し、該環状シールゴム３５Ａにボール部材３２を摺接させ、気体流路となる窪み３８ａと、上記円弧面３８ｂの外周側でボール受部内面とボール部材３２の外面とに囲まれる液体流路４０となる空間とを気密にシールしている。
【００２６】
軸受部材３１には押さえ部材３３と連結固定するために、ボール受部３８の先端側外周面には雄ネジ３８ｄを設けている。また、基端側の円環状の連結部３９には、加湿器本体１０の被連結部３０と着脱自在に連結するため、内周面に下端まで切り込んだ凹部３９ａを対向して設けると共に、各凹部３９ａに連続してロック穴３９ｂを設け、各ロック穴３９ｂを傾斜させて幅狭とした固定部３９ｃを設けている。一方、加湿器本体１０の被連結部３０の外周面に対向してロック爪３０ａを設けている。該ロック爪３０ａを連結部３９の凹部３９ａより挿入した後、連結部３９を回転させてロック穴３９ｂにロック爪３０ａを移動させ、固定穴部３９ｃにロックする構成としている。
【００２７】
ボール受部３８に回転自在に内嵌するボール部材３２は、上記円弧面３８ｂに摺接させると共に、ボール受部３８の先端内面３８ｅと摺接させ、かつ、上記押さえ部材３３の先端より内方に突出させた支持枠３３ａの先端面に摺接させて、ボール部材３２をボール受部材３８で回転自在に支承している。
【００２８】
このボール部材３２には、円弧面３８ｃとの接触側と反対側に凹部４１を設けている。該凹部４１の中央に流出口４２ａが開口する第２気体流路４２を直径方向に貫通させて設けていると共に、凹部４１の周縁の対向位置に流出口４３ａが開口する一対の第２液体流路４３をＬ方向に屈折させて貫通させている。
上記第２気体流路４２の流入口４２ｂは窪み３８ａに開口し、ボール部材３２が押さえ部材３３により規制される許容角度範囲内で回転される限り、第１気体流路３６と連通させている。同様に、第２液体流路４３の流入口４３ｂは上記液体流路４０に開口させて、ボール部材３２が回転しても第１液体流路３７と連通させている。
【００２９】
上記押さえ部材３３は、環状枠３３ｂの先端より上方へ突出する上記支持枠３３ａを設け、かつ、環状枠３３ｂの内周面に雌ネジ３３ｃを設けている。この押さえ部材３３はボール部材３２の凹部４１を露出させた状態で組みつけ、軸受部材３１の雄ネジ３８ｄに雌ネジ３３ｃを螺合し、ボール部材３２を回転自在に軸受部材３１と押さえ部材３３の間に支承している。また、上記支持枠３３ａの先端内面にシール溝３３ｄを設け、該シール溝３３ｄに上記ゴムシール３５Ｂを密嵌して止水を図っている。
【００３０】
さらに、押さえ部材３３の先端面には回転止め突起４５を対向位置に一対突設する一方、ボール部材３２の凹部４１に嵌合固定するノズル連結部材３４の外周面にも一対の突起４６を突設し、該突起４６のいずれか一方の面に回転止め突起４５を係止可能としている。この突起４６のいずれか一方面に突起４５を選択して当接係止することにより、ノズル連結部材３４がいずれか一方向きに回転不可としている。
【００３１】
上記ノズル連結部材３４はボール部材３２の凹部４１に内嵌する後部小径部３４ａを備えると共に、該後部小径部３４ａより前部大径部３４ｂが連続し、その先端に凹部３４ｃを設けている。後部小径筒部３４ａから前部大径部３４ｂの軸芯に沿って第３気体流路４７を貫通していると共に、該第３気体流路４７の周囲に複数の第３気体流路４８を設けている。該第３気体流路４７、第３液体流路４８はボール部材３２の第２気体流路４２、第２液体流路４３に連通させ、これらの流出口を上記凹部３４ｃに開口している。
また、前部大径部３４ｂの外周面の対向位置に一対のロック爪５１を突設している。該ロック爪５１は、前記加湿器本体１０の被連結部３０のロック爪３０ａと同一位置に同一形状に設けている。
【００３２】
上記ノズル連結部材３４には、二頭型の二流体のノズルチップ１２を着脱自在に連結可としている。
該ノズルチップ１２の基部１２ａに円環形状の連結部５３を設け、該連結部５３は上記軸受部材３１の連結部３９と同一形状とし、該連結部５３に上記凹部３９ａ、ロック穴３９ｂと同一位置に同一形状の凹部５３ａ、ロック穴５３ｂを設けている。これにより、首振りアダプタ１１を介在させずに、ノズルチップ１２を直接に加湿器１０の被連結部３０に連結できる構成としている。
ノズルチップ１２をノズル連結部材３４にロック結合した状態で基部１２ａの後端部はノズル連結部材の凹部３４ｃに内嵌する。
【００３３】
ノズルチップ１２の構造は図４（Ａ）（Ｂ）に示すように、基部１２ａより所要角度をあけて二股に分岐する分岐部１２ｂ、１２ｃを設け、各分岐部１２ｂ、１２ｃの先端より互いに向き合う方向の対向部１２ｄ、１２ｅを設けている。基部１２ａより分岐部１２ｂ、１２ｃに気体流路６０、液体流路６１を設け、これら気体流路６０と液体流路６１とはそれぞれノズル連結部材３４の第３気体流路４７、第３液体流路４８にそれぞれ連通させている。対向部１２ｄ、１２ｅには混合流路６３、６４を設け、上記気体流路６０と液体流路６１とを開口させ、混合流路６３、６４から気液混合液を対向部１２ｄ、１２ｅの先端に設けた噴射口１２ｆ、１２ｇより互いに衝突するように噴射させている。
【００３４】
上記首振りアダプタ１１を連結する加湿器本体１０は、図１および図２に示すように、上面開口の略円筒型のケース１５の上面開口を仕切蓋１６で閉鎖し、該仕切蓋１６にカバー１７を固定している。仕切蓋１６には流路部材１８、吸液パイプ１９、液体導入管２０、止水弁装置２１および止水レバー２２を取り付けている。ケース１５の内部は貯水室２４とし、フロート２５を貯水室２４内で貯水量に応じて昇降可能に収容している。フロート２５の中心部に上下に開口する貫通流路２５ａを設け、該貫通孔２５ａに吸液パイプ１９を挿通し、かつ、該パイプを囲む上端位置に突出部２５ｂを設けている。仕切壁１６に設けた止水弁装置２１の下部に軸支した止水レバー２２をフロート２５の上部に突出させ、止水レバー２２の先端に設けた穴２２ａに吸液パイプ１９を通すと共にフロート２５の突出部２５ｂ上に載置している。該構成とすることで、フロート２５の昇降に応じて止水レバー２２に設けた止水弁２６が液体導入管２０の下端開口を開閉して、貯水室２４内に最小量の水を供給し、常に新鮮な水を貯水している。
【００３５】
上記貯水室２４の水を吸液パイプ１９で吸引し、流路部材１８の液体流路２７へ流入させている。該流路部材１８の気体流路２８には気体供給管２９より気体（エア）を供給している。流路部材１８は９０度間隔で上記液体流路２７、気体流路２８を並設した被連結部３０を設け、カバー１７に設けた開口１７ａの内端位置まで延在させ、該被連結部３０の先端部３０ｂに液体流路２７と気体流路２８の流出口を開口させている。該被先端部３０ｂの外周面に対向して上記ロック爪３０ａを設けている。
【００３６】
上記構造からなる首振りアダプタ１１を加湿器本体１０に取り付けた加湿器１００は、前記従来例の図１０と同様に、設置する部屋の天井等に沿って配管した空気供給管および液体供給管に対して所定間隔をあけて接続して取り付けられる。
【００３７】
上記加湿器１００から噴射する二流体の噴霧方向は、図１、２の状態では、首振りアダプタ１１のノズル連結部材３４が下向きに傾斜されているため、ノズルチップ１２からの噴霧方向は下方へ傾斜した方向となる。この状態からボール部材３２を回転することで、角度θの範囲で上方側へと噴霧方向を変えていくことができる。
【００３８】
さらに、液体および気体の供給配管が下方に位置する場合には、図５に示すように、首振りアダプタ１１自体を加湿器本体１０の被連結部３０に対して図１とは上下逆転して取り付け、ノズル連結部材３４、ノズルチップ１２を軸受部材３１に対して上方傾斜させて取り付け、噴霧方向を上向き傾斜方向とすることができる。
【００３９】
さらに、被連結部３０に９０度間隔をあけてロック爪を設ける一方、軸受部材３１のロック穴を９０度間隔をあけておくと、右向きあるいは左向きにノズル連結部材３４、ノズルチップ１２を配置することができる。このように、噴霧方向を下向き、上向き、右向き、左向きと任意の方向とすることができ、さらに、ボール部材３２を回転させて、ノズルチップ１２の向きを角度調節することができる。即ち、いずれの向きにも、かつ、任意の角度に噴霧方向を調節することができる。
【００４０】
しかも、首振りアダプタ１１を加湿器本体１０に向きを変えて取り付けても、かつ、且つボール部材３２を回転させて噴霧方向を所要角度で調節しても、液体流路と気体流路とをボール部材３２に設けているため、加湿器本体１０の気体流路、液体流路を首振りアダプタ１１の気体流路、液体流路を介してノズルチップ１２の気体流路、液体流路に連通できる。よって、ノズルチップ１２の噴射口直前で液体と気体とを混合して、噴射口より二流体混合の噴霧を行うことができる。
【００４１】
また、ノズルチップ１２をノズル連結部材３４より取り外してメンテナンスを行う場合等、ノズルチップ１２を回転してロック爪５１をロック穴５３ｂより外す必要がある。其の際、ノズル連結部材３４に連結したボール部材３２が回転すると、ノズルチップ１２の回転に連動してノズル連結部材３４が回転してしまい、ノズルチップ１２をノズル連結部材３４から取り外すことができなくなる。よって、ノズル連結部材３４を傾けて押さえ部材３３の回転止め突起４５に突起４６と当接係止させて、ノズル連結部材３４の回転止めを行っている。これにより、ノズルチップ１２をノズル連結部材３４に対して回転させることができ、ノズルチップ１２をノズル連結部材３４から取り外すことができる。ノズルチップを取り外した後に再度取り付ける場合にも、固定しているノズル連結部材３４に対してノズルチップ１２を回転させてロック爪５１をロック穴５３ｂにロック固定することができる。
【００４２】
図６は首振りアダプタ１１を介設せずに加湿器本体１０に直接ノズルチップ１２を連結した場合である。首振りアダプタ１１と加湿器本体１０との連結部の構造と、首振りアダプタ１１とノズルチップ１２との連結部の構造を同一構造としているため、ノズルチップ１２の連結部５３を加湿器本体１０の被連結部３０に外嵌し、被連結部３０のロック爪３０ａを連結部５３のロック凹部５３ａに挿入してからノズルチップ１２を回転させて、ロック穴５３ｂにロック爪ａを固定している。
このように、加湿器本体１０に首振りアダプタ１１を介設してノズルチップ１２を取り付けることができると共に、首振りアダプタ１１を介設せずにノズルチップ１２を加湿器本体１０に直接取り付けてもできる。
【００４３】
なお、第１実施形態では加湿器本体１０に首振りアダプタ１１を選択的に取り付けることができるようにしているが、取り付ける機器は加湿器に限定されない。二流体が供給され、気液混合噴霧を発生させる必要がある機器に対して、ノズルチップとの間に首振りアダプタ１１を介在させて取り付けると、その噴射方向を適宜に変えることができる。
また、ノズルチップとして二頭型を使用しているが、噴射口を１つとした一頭型でも良いし、三頭、四頭型としてもよい。
さらに、首振りアダプタ１１は軸受部材を屈曲させているが、屈曲させずに直線状としてもよい。この場合も、ボール部材を回転させることにより、ノズルチップの噴射口の向きを変えることができる。
【００４４】
図７は第２実施形態を示し、首振りアダプタ１１’を加湿器本体に取り付けずに、液体供給管と気体供給管とに直接接続し、該首振りアダプタ１１’の先端にノズルチップ７０を連結したノズル２００からなる。
首振りアダプタ１１’の軸受部材３１’には、気体供給配管に連通する第１気体流路３６’と液体供給配管に連通する第１液体流路３７’とを設け、それらの流入口３６ａ’、３７ａ’を対向する外周面に開口している。
【００４５】
第１気体流路３６’は流入口より直角に屈曲し、ボール受部３８’に流出口３６ｂ’が開口する一方、第１液体流路３７’は流入口より軸芯位置で直角に屈曲し、ボール受部３８’の窪み３８ａ’に開口する。該軸受部材３１’のボール受部３８’に回転自在に支持されるボール部材３２’に第２気体流路４２’と第２液体流路４３’を設け、ボール部材３２’が許容回転角度範囲で回転される限り、第２気体流路４２’は第１気体流路３６’、第２液体流路５３’は第１液体流路３７’と連通している構成、押さえ部材３３’の構成は第１実施形態と同様であるため、同一符号を付して説明を省略する。
【００４６】
ボール部材３２’の凹部４１’に嵌合するノズル連結部材３４’は、その基部３４ａ’の外周面に雄ネジ３４ｂ’を設け、上記凹部４１’の内周面に形成した雌ネジ４１ａ’と螺合して結合している。
上記ノズル連結部材３４’の先端凹部３４ｃ’に、ノズルチップ７０の基部を内嵌してネジ締め固定している。この状態で、ノズル連結部材３４’の第３気体流路４７’と第３液体流路４８’の流出口は、ノズル連結部材３４’とノズルチップ７０との間に形成される気液混合室７１に開口し、気液が混合される。該気液混合室７１はオリフィス７２、段状の縮径室７３を経て噴射口７４から二流体噴霧を噴射させている。
【００４７】
上記構成の首振りアダプタ１１’を備えたノズル２００においても、ボール部材３２’を回転させることで、ノズル連結部材３４’、ノズルチップ７０の噴射方向を下向きから上向きへと回転させることができる。
【００４８】
【発明の効果】
以上の説明より明らかなように、本発明では、二流体の気液混合液を噴射するノズル装置において、ボールジョイント型の首振りアダプタを介してノズルチップを取り付ける構成としているため、首振りアダプタのボール部材を回転させ、該ボール部材に連結したノズルチップの回転させて噴射方向を任意の方向に向けることができる。
【００４９】
かつ、首振りアダプタのボール部材に第２気体流路および第２液体流路を個別に設け、軸受部材の第１気体流路、第１液体流路とは、ボール部材を許容回転角度範囲で回転させている限り、常に、第１、第２気体流路および第１、第２液体流路を連通させている。ボール部材の第２気体流路、第２液体流路は連結したノズル連結部材、ノズルチップの気体流路、液体流路に気体（エア等）と液体（水等）と常に連通されているため、ノズルチップの噴射方向を変えても、気体流路、液体流路とが常に連通されている。
このように、ボールジョイント型の首振りアダプタを使用しても、固定されている軸受部材の液体流路、気体流路に液体と気体とを供給すればよい。よって、いずれか一方をフレキシブル配管としてボール部材より下流の流路に供給する必要がなくなり、構造が簡単かつ小型化することができる。
【００５０】
また、首振りアダプタの軸受部材を屈曲させ、ボール受部の位置を機器側等に連結される基端側の取付位置と位相させているため、機器に対する軸受部材を回転させると、ボール受部を下向き、上向き、右向き、左向き等の任意は向きとすることができる。よって、首振りアダプタを介在することにより、ノズルチップから噴射する噴霧の向きを３６０°全周方向のいずれにも変えることができ、ボール部材の回転による調節と組み合わせると、使用箇所に応じた任意の方向に正確に噴霧させることができる。
【００５１】
さらに、首振りアダプタを機器にワンタッチで着脱自在に連結でき、しかも、この連結機構を、首振りアダプタとノズルチップの連結機構と同一としておくと、首振りアダプタを介して機器にノズルチップを取り付けることができると同時に、首振りアダプタを介在させずにノズルチップを機器に直接取り付けることもできる。よって、使用箇所に応じて、首振りアダプタの要否を選択することができる。
【００５２】
特に、上記首振りアダプタを加湿器本体に取り付けると、加湿器から噴射する気液混合噴霧の方向を任意の方向に噴射させることができる。よって、噴霧を直接に対象物に対して噴射したい場合には、対象物の位置に応じてノズルチップを回転させて適正位置に設定することができる等の種々の利点を有するものである。
【図面の簡単な説明】
【図１】本発明の第１実施形態を示し、（Ａ）は首振りアダプタを取り付けた加湿器の正面図、（Ｂ）は平面図である。
【図２】図１の縦断面図である。
【図３】（Ａ）は首振りアダプタの拡大断面図、（Ｂ）は要部斜視図である。
【図４】ノズルチップを示し、（Ａ）は平面図、（Ｂ）は断面図である。
【図５】首振りアダプタの上向きとした場合の断面図である。
【図６】首振りアダプタを介在させていない場合の加湿器の断面図である。
【図７】第２実施形態を示す断面図である。
【図８】加湿器の使用例を示す図面である。
【図９】従来例を示す図面である。
【図１０】他の従来例を示す図面である。
【符号の説明】
１０  加湿器本体
１１  首振りアダプタ
１２  ノズルチップ
１２ｇ、１２ｆ  噴射口
１７  ケースカバー
３０  被連結部
３０ｂ  ロック爪
３１  軸受部材
３２  ボール部材
３３  押さえ部材
３３ａ  支持枠
３４  ノズル連結部材
３６  第１気体流路
３７  第１液体流路
３８  ボール受部
３８ａ  窪み
３８ｂ  円弧面
３９  連結部
３９ｂ  ロック穴
４０  液体流路
４１  凹部
４２  第２気体流路
４３  第２液体流路
４５  回転止め突起
４７  第３気体流路
４８  第３液体流路
５１  ロック爪
【図１】
2004237206.tif 000003
【図２】
2004237206.tif 000004
【図３】
2004237206.tif 000005
【図４】
2004237206.tif 000006
【図５】
2004237206.tif 000007
【図６】
2004237206.tif 000008
【図７】
2004237206.tif 000009
【図８】
2004237206.tif 000010
【図９】
2004237206.tif 000011
【図１０】
2004237206.tif 000012